(57)【特許請求の範囲】
【請求項１】
体液を吸収するための繊維質吸収製品であって、前記繊維質吸収製品はタンポンであり、
液体グリセリンを有する内層、および
前記内層とともに十字状パッドを形成する外層
を備え、
前記液体グリセリンが天然起源であり、
前記液体グリセリンが、０．０１グラム〜０．１５グラムの量で存在する、繊維質吸収製品。
【請求項２】
体液を吸収するための繊維質吸収製品であって、前記繊維質吸収製品はタンポンであり、
前記体液を吸収するのに適切な繊維質材料、および
前記体液に関連する臭気を吸収するために前記繊維質材料中に配置された、微生物の生長をサポートしない液体グリセリン
を具備し、
前記液体グリセリンが、０．０１グラム〜０．１５グラムの量で存在する、繊維質吸収製品。
【請求項３】
膣領域を消臭する方法であって、
前記膣領域に請求項１記載の繊維質吸収製品を適用し、
前記液体グリセリンが前記膣領域で悪臭を打ち消す消臭方法。
【請求項４】
膣領域を消臭する方法であって、
前記膣領域に請求項２記載の繊維質吸収製品を適用し、
前記液体グリセリンが前記膣領域で悪臭を打ち消す消臭方法。
【請求項５】
前記繊維質吸収製品が、前記体液を吸収するために適切な内層および外層を備えるタンポンであり、
前記液体グリセリンが、前記体液に関連する臭気を吸収するために前記内層の長手方向に沿って連続的に配置される、請求項２記載の繊維質吸収製品。
【発明の詳細な説明】
【０００１】  発明の背景
１．発明の分野
本発明は、体液の吸収のために意図された、タンポンおよび他の生理用品のような繊維質吸収製品に関する。そのような繊維質製品は、経血の悪臭の吸収、抑制、中和、および／または除去を目的として１種類以上の悪臭打消し材料（ｍａｌｏｄｏｒ  ｃｏｕｎｔｅｒａｃｔａｎｔ  ｍａｔｅｒｉａｌ）を含む。その１種類以上の悪臭打消し材料は、天然起源であり得、そして適用の容易さと均一さのために液体形態であり得る。
【０００２】  繊維質吸収製品は、長い間知られてきた。それは、体液を吸収し、保持する構造に配置された複数の繊維を含む。本発明との関連では、特定の関心の対象の体液は、不快臭を発生させ得る経血である。
【０００３】  過去に、経血臭を打ち消す方法として、様々の提案がなされてきた。そのような提案には、吸収製品から生ずる臭気をマスキングするための香料の使用が含まれる。他の提案には、経血などの存在下で発生し得るにおいを生ずる化合物を抑制または除去する物質の使用が含まれる。それらのにおいを生ずる化合物は、化学反応によるかまたはにおいを生ずる化合物の固体または液体への吸着によりにおいを生じない化合物を生成させることを含む多数の機構により抑制され得る。吸収剤が、特にきわめて低い嗅覚しきい値を有するものとして特徴付けられる体液から臭気を消臭することについて有効であるためには、収着剤は、その環境の中で、においを生ずる化合物の濃度にかかわらず、実質的に全てのにおいを生ずる化合物を除去することが可能であることが必要である。
【０００４】  ２．先行技術の記載
本発明についての十分な背景を提供するために、米国特許第３，９４８，２５７号、第４，７９５，４８２号、第４，８２６，４９７号、および第５，３６４，３８０号、また登録ＨＩ５７９に言及することができる。
【０００５】  米国特許第３，９４８，２５７号は、膣への挿入のためのタンポンおよび消臭剤を保持するためのデバイスを備える陰門消臭システムに関する。該デバイスは、香料、粉末などの形態で消臭剤を含む。
【０００６】  米国特許第４，７９５，４８２号は、臭気を除去するための方法およびその方法に使用するための組成物に関する。その方法は、臭気生成種（ｏｄｏｒ  ｐｒｏｄｕｃｉｎｇ  ｓｐｅｃｉｅｓ）を合成結晶性ケイ素系分子ふるい材料と接触させることにより嗅覚による感知を下まわるように臭気を減少させることを含む。
【０００７】  米国特許第４，８２６，４９７号は、繊維質吸収製品であって、少なくとも約５．５オングストロームの気孔直径および吸収された水についての相対的に小さな容量を有する有効量の結晶性ケイ素系分子ふるいをその中に配置することにより高められた消臭特性を有する繊維質吸収製品を提供する。加えて、この特許は、消臭分子ふるいの中に約２０マイクロメートル未満のサイズを有するゼオライト粒子を含めることも提供する。該粒子は、吸収製品の流体透過性カバーの外表面と製品の中に備えられたバッフルとの間に位置する。
【０００８】  米国特許第５，３６４，３８０号は、使用者の身体に面する第１の表面および第１の表面のほぼ反対側に配置された第２の表面を有する吸収製品を提供する。それぞれの表面に隣接して位置する液体不透過性隔壁および流体透過性カバーもまた提供される。加えて、消臭混合物が十分な時間乾いたままで製品内に位置する。この混合物は、少なくとも塩基性およびｐＨ中性臭気吸収粒子の無水の緩衝性のない混合物である。
【０００９】  登録ＨＩ５７９は、臭気を防除するために生理用品、おむつなどに用いられる「中間」ＳｉＯ2／Ａｌ2Ｏ3比を有するゼオライトを提供する。そのような中間比は、典型的には約２から約１０の範囲と記載されている。
【００１０】  適切に適用されるとき、前述の特許に記載されるいくつかの発明にも特定の利益と長所が存在することも事実であろう。しかしながら、本発明は、先行技術には見出されない重要な利益を提供することが明らかである。見出され、認識されたことは、本発明の１種類以上の悪臭打消し材料は臭気を発する（ｏｄｉｆｅｒous）有機分子を吸収する能力を有し、加えて、臭気を防除し、抑制する特性を有することとなる低い蒸気圧も有する。その結果、きわめて有効で、効力を有する繊維質吸収製品、例えばタンポンが、蒸気圧を低下させ、それゆえ、臭気を発する物質のしきい値を低下させるように、経血に関連する臭気を発する有機分子を吸収するという１種類以上の悪臭打消し材料の能力を利用するような方式で作られ得る。このことは、経血中に存在し得る水の存在下でさえ達成される。
【００１１】  発明の概要
本発明の目的は、高い信頼性で廉価に製造し得る、経血に関連する臭気を有効に吸収する、タンポンのような繊維質吸収性生理用品または製品を提供することである。
【００１２】  本発明のもう１つの目的は、１種類以上の悪臭打消し材料を有するそのようなタンポンを提供することである。
【００１３】  本発明のさらにもう１つの目的は、１種類以上の悪臭打消し材料が天然起源であるそのようなタンポンを提供することである。
【００１４】  本発明のさらにもう１つの目的は、１種類以上の悪臭打消し材料が液体形態にあるそのようなタンポンを提供することである。
【００１５】  本発明の更なる目的は、タンポン中の所望の量の１種類以上の悪臭打消し材料の効果を最大化させることである。
【００１６】  本発明の更なる目的は、タンポンに水または他の液体の存在下でさえ効率的な臭気吸収を付与することである。
【００１７】  本発明の更なる目的は、１種類以上の悪臭打消し材料をタンポンに含ませる方法を提供することである。
【００１８】  本発明のもう１つの目的は、微生物の生長をサポートしない１種類以上の悪臭打消し材料を有するそのようなタンポンを提供することである。
【００１９】  本発明の上記のおよび他の目的および利点は、１種類以上の天然起源の悪臭打消し材料が配置されるタンポンまたは同様のデバイスまたは製品により達成される。簡潔に言えば、本発明の広範な特徴は、体液を吸収するのに適切な構造を規定し、体液に関連する臭気を吸収し、中和し、抑制し、および／または除去するように有効量の１種類以上の悪臭打消し材料を該構造の中に配置された繊維質材料で作られた体液を吸収するための繊維質吸収製品である。１つの好ましい態様において、悪臭打消し材料はグリセリンである。この態様のさらにより好ましい形態において、グリセリンは液体形態である。さらにより好ましい態様において、液体グリセリンは、全て天然起源である。第２の態様において、悪臭打消し材料は、１種類以上の追加の悪臭打消し材料との組み合わせでグリセリンを含み、それらの組み合わせはさらに強力に悪臭を打ち消す。
【００２０】  本発明の他の、そしてさらなる目的、利点および特徴は、同様の部分が同様の数字を与えられる添付の図面とともに以下の明細書を参照することにより理解されるであろう。
【００２１】  発明の説明
本発明は、１種類以上の悪臭打消し材料を有するタンポンおよび他の生理用品のような繊維質デバイスに関する。悪臭打消し材料は全て天然起源に由来し、液体形態で存在する。さらに、悪臭打消し材料は、微生物の生長をサポートしない。
【００２２】  １種類以上の悪臭打消し材料は、例えば経血のような体液から生ずる悪臭を吸収し、抑制し、中和し、および／または除去することが可能ないずれの適切な材料でもあり得る。適切な悪臭打消し材料には、例えば、１種類以上のグリセリン、グリセリン化合物、アルデヒド、天然油、可溶性天然化合物の溶液、天然の植物およびハーブエキス、天然産出消臭活性剤、酸、塩基、オキシダント（ｏｘｉｄａｎｔ）、キレート剤、エステル、マスキング剤、感覚受容器変化剤（ｓｅｎｓｏｒｙ  ｒｅｃｅｐｔｏｒ  ａｌｔｅｒａｎｔ）、酸化剤、生物学的薬剤、界面活性剤、表面活性ポリマー、またはそれらの混合物が含まれる。
【００２３】  本発明における使用のために適切なグリセリン化合物には、例えば、グリコール酸、グリセリンステアレート、グリセリンモノラウレート、グリセリンモノアルキルエーテル、またはそれらの組み合わせが含まれる。
【００２４】  １つのクラス（クラスＡ）から選択されたアルデヒドおよび第２のクラス（クラスＢ）から選択されたアルデヒドを含むアルデヒドまたはアルデヒド組成物は、単独に選ばれたそれぞれのクラスのアルデヒド組成物の消臭特性より明らかに優れた顕著な消臭特性を有することが見出された。アルデヒド技術は、低い蒸気圧の材料を用いることからなる。効力は、悪臭分子との化学反応、機能成分の遅い蒸発、および部分的なマスキング効果を含む、臭気を中和する様々の方法の組み合わせの結果であると思われる。悪臭の存在下で、反応生成勃は、以下の１つのことが起こるように、化学的に変化した。（１）新たな分子はより揮発性で速やかに蒸発する。（２）新たな分子ははるかに大きく、鼻がその存在を感知できない程度に実質的に不揮発性である。または、（３）新たな分子は、化学的に異なり、より快いにおいプロフィールを有する。
【００２５】  適切なクラスＡアルデヒドには、例えば、１以上の非環式脂肪族アルデヒド、非テルペン系脂肪族アルデヒド、非テルペン系脂環式アルデヒド、テルペン系アルデヒド、芳香族基により置換された脂肪族アルデヒド、二官能性アルデヒドまたはそれらの混合物が含まれ得る。より具体的には、適切なクラスＡアルデヒドには、例えば、デカナール、リラール、トリパールまたはそれらの混合物が含まれ得る。
【００２６】  適切なクラスＢアルデヒドには、例えば、アルデヒド官能基（ｆｕｎｃｔｉｏｎ）のアルファ位置の炭素により備えられる不飽和を有する１以上のアルデヒド、芳香族環と結合する（ｃｏｎｊｕｇａｔｅｄ）アルデヒド官能基のアルファ位置に不飽和を有するアルデヒド、芳香族環により備えられるアルデヒド官能基を有するアルデヒド、またはそれらの混合物が含まれ得る。より具体的には、適切なクラスＢアルデヒドには、例えば、シトラール、ベンズアルデヒド、バニリンまたはそれらの混合物が含まれ得る。
【００２７】  アルデヒド組成物は、２つのクラスのそれぞれに対応する限り、３以上のアルデヒドを含み得る。好ましくは、クラスＡとクラスＢのアルデヒドは、約８０／２０から約２０／８０の比で存在する。
【００２８】  天然油は、本発明において、適切な臭気吸収材料として用いられ得る。天然油は、悪臭分子を抑制し、悪臭を制圧する快いにおいを与える効果を有し得る。例として、本発明における使用のために適切な天然油は、ホワイトセダーリーフオイル（ｗｈｉｔｅ  ｃｅｄａｒ  ｌｅａｆ  ｏｉｌ）である。
【００２９】  悪臭の打ち消しが可能ないずれの可溶性天然化合物の溶液もまた本発明において用いられ得る。そのような可溶性天然化合物の１つの例はクロロフィルである。
【００３０】  天然の植物およびハーブエキスもまた、本発明で悪臭打消し材料として用いられ得る。例として、適切な天然エキスには、緑茶エキス、グレード（Ｇｌａｄｅ；（登録商標））「中和剤」（植物とハーブのエキスの、組成不明の混合物）またはその混合物が含まれ得る。
【００３１】  天然に産出する消臭活性材料もまた、悪臭を打ち消すために本発明で用いられ得る。適切な天然に産出する消臭活性成分には、例えば、ファルネソール、フェノキシエタノール、アルカリローダニド、リナロール、シトロネロール、ゲラニオール、フェネチルアルコール、またはそれらの混合物が含まれる。
【００３２】  １種類以上の酸は、悪臭の塩基性成分を中和するために作用する悪臭打消し物質として用いられ得る。適切な酸には、例えば、クエン酸、酢酸、使用する上で安全である他の有機酸、またはそれらの混合物が含まれる。好ましくは、酸は天然起源である。より好ましい酸はクエン酸である。好ましくは、クエン酸は、天然起源である。
【００３３】  １種類以上の塩基が、悪臭の酸性分を中和するために作用する悪臭打消し物質として用いられ得る。適切な塩基には、例えば、アンモニア、ジエタノールアミンまたはそれらの混合物が含まれる。好ましくは、１種類以上の塩基は、天然起源であり、液体形態にある。
【００３４】  悪臭を減少させるためにスルフィド含有化合物と反応する１種類以上のオキシダントもまた本発明において用いられ得る。例として、適切なオキシダントには、アスコルビン酸または他の公知の酸化材料が含まれ得る。好ましくは、オキシダントはアスコルビン酸であり、好ましくは、天然起源である。
【００３５】  金属成分と反応し、悪臭を減少させ、または除去する１種類以上のキレート剤が、本発明において用いられ得る。適切なキレート剤には、例えば、アスコルビン酸または、例えばＥＤＴＡのような他の公知のキレート剤が含まれ得る。好ましいキレート剤は、アスコルビン酸である。また、好ましくは、キレート剤は天然起源である。
【００３６】  反応性二重結合を有するある種のエステルが、悪臭を減少させる準汎用的な能力を有することが見出されている。本発明における使用にとって適切なエステル化合物には、例えば、ＮＥＵＴＲＯＡＩＲ（登録商標）（ゲラニルクロトネートとジヘキシルフマレートの混合物）またはＭＥＴＡＺＥＮＥ（登録商標）（ラウリルメタクリレート）が含まれる。好ましくは、エステルは天然起源であり、液体形態にある。
【００３７】  マスキング剤は、本発明において悪臭打消し材料として用いられ得る。悪臭をマスキングすることが可能ないずれの薬剤も用いられ得る。しかしながら、典型的には、例えば、香料または芳香剤が、悪臭をマスキングする、または隠すために用いられる。好ましくは、マスキング剤は、天然起源であり、液体形態にある。
【００３８】  身体の感覚受容器を変化させることが可能である化合物もまた本発明において用いられ得る。悪臭を打ち消す物質は、多くの公知の悪臭を引き起こす化学物質と共通の領域の受容器部位を共有する。大気中に十分な濃度であると、悪臭を打ち消す物質は受容器たんぱく質と相互作用し、受容器たんぱく質が悪臭を取り込まないようにする。それゆえ、悪臭と受容器の相互作用がないと、鼻による悪臭の知覚は不可能である。例として、ＢＢＡにより製造されるベイレックス（登録商標）（成分の組成不明）は、本発明における使用にとって適切なそのような悪臭を打ち消す物質である。好ましくは、感覚受容器変化剤の悪臭を打ち消す物質は、天然起源であり、液体形態にある。
【００３９】  １種類以上の酸化剤が、悪臭の成分を酸化させるために作用する悪臭を打ち消す物質として用いられ得る。例えば、過酸化水素のような使用について安全であるいずれの適切な酸化剤も、本発明の吸収製品において用いられ得る。好ましくは、１種類以上の酸化剤は液体形態にあり、天然起源である。
【００４０】  １種類以上の生物学的薬剤も、本発明の吸収製品において悪臭を打ち消す物質として用いられ得る。適切な生物学的薬剤には、例えば、細菌の胞子、酵素、またはそれらの混合物が含まれる。好ましくは、１種類以上の生物学的薬剤は天然起源であり、液体形態にある。
【００４１】  １種類以上の界面活性剤も本発明の吸収製品において悪臭を打ち消す物質として用いられ得る。適切な界面活性剤には、例えば、アニオン性、ノニオン性、カチオン性、双性イオン性、シリコーン、またはそれらの混合物が含まれる。好ましくは、１種類以上の界面活性剤は天然起源であり、液体形態にある。
【００４２】  １種類以上の表面活性ポリマーが、本発明の吸収製品において悪臭を打ち消す物質として用いられ得る。例えば、適切な表面活性ポリマーには、アクリレートポリマーが含まれる。好ましくは、１種類以上の表面活性ポリマーは天然起源であり、液体形態にある。
【００４３】  本発明の１つの好ましい態様において、臭気吸収材料はグリセリンである。用いられるグリセリンは、好ましくは、ＵＳＰグレードのグリセリンである。グリセリンは吸湿性材料であるので、例えば、水に対し強い親和性を有するので、グリセリンはある種の臭気を発する気体を引き寄せ、保持することにより臭気吸収剤として作用すると考えられる。加えて、それらの気体は、グリセリンにより引き寄せられる水に溶解し得る。グリセリンへの水の吸収もまた蒸気圧を減少させ、それにより悪臭の量を減少させる。
【００４４】  液体グリセリンの使用は、製造上の利点を有する。例えば、液体グリセリンは、固体または半固体材料より適用するのに容易であり、より均一に適用され得、より広い表面積にわたって適用され得る。加えて、グリセリンは、微生物の生長を補助しない。それゆえ、グリセリンの微生物含有量を減少させるか、またはその減少した微生物のレベルを維持するかのいずれかのために付加的な方法は必要とされない。
【００４５】  適用の容易さと、微生物の生長を補助しない能力により、グリセリンは製造コストの利益を有するものと信じる。さらに、グリセリンは他の公知の臭気吸収材料より廉価であり、それによりさらなるコストの節約またはコスト上の利点を提供する。本発明の好ましい態様において、グリセリンは、悪臭打ち消し材料として単独で用いられる。
【００４６】  本発明の第２の態様において、グリセリンは、臭気を防除する液体グリセリンの能力をさらに高め得る少なくとも１種の追加の悪臭打消し材料と併用される。上記のように、そして例として、適切な追加の悪臭打消し材料には、アルデヒド、天然油、可溶性天然化合物の溶液、天然の植物およびハーブエキス、天然に産出する消臭活性成分、酸、塩基、オキシダント、キレート剤、エステル、マスキング剤、感覚受容器の変化剤、酸化剤、生物学的添加剤、界面活性剤、表面活性ポリマー、ゼオライト、またはそれらの混合物が含まれ得る。
【００４７】  加えられる追加の悪臭打消し材料は液体または固体であり得るが、しかしながら、液体がより好ましい。悪臭打消し材料のシステムについての全ての天然起源の材料の使用は、全ての自然臭気防除の利点を提供する。
【００４８】  微生物の生長を補助しない本発明は、微生物の制限（ｍｉｃｒｏｂｉａｌ  ｌｉｍｉｔｓ）が維持されることを保証することが可能であるという利点を有する。このことは、水を含有する臭気吸収混合物についてはありえない。これは、女性用衛生製品の製造において重要な側面である。具体的には、この液体の悪臭打消し材料のシステムは、加工、貯蔵、適用およびいずれの中間工程の間にも微生物の制限が維持されることを保証する付加的な工程を必要としない。
【００４９】  １種類以上の悪臭打消し材料は、いずれの生理用品にも加えられ得る。タンポンの場合には、悪臭打消し材料は、タンポンもしくはタンポンプレジット（ｐｌｅｄｇｅｔ）またはタンポン除去ストリングのいずれかに加えられ得る。ストリングに１種類以上の悪臭打消し材料を加えることは、よりすぐれた消臭剤保護の利益を提供し得る。というのは、タンポンに関連する悪臭の一部は、酸化プロセスにより、および汗、尿および便による汚染により陰門領域で起こるからである。
【００５０】  悪臭打消し材料の量は、悪臭を有効に打ち消すのに必要な最小量であるべきである。グリセリンについては、０．０５グラム（ｇ）という少量のグリセリンの添加が、合成膣悪臭の約９２％を吸収するのに十分であることが試験管内臭気吸収効力研究により例証された。しかしながら、超吸収性タンポンまたはタンポンプレジットについては、グリセリンの量は、好ましくは約０．０１グラムから約０．１５グラム、より好ましくは約０．０５から約０．１５グラムであるものと信じる。以下に記載するように、悪臭打消し材料の量は、他のタイプの繊維質デバイスについては変化する。
【００５１】  ＧＣ／ヘッドスペースにより定量される悪臭吸収の試験管内試験が、グリセリンの臭気吸収効力を測定するためになされた。この方法は、既知の量（２μｌ）の合成膣悪臭の存在を検出するためにガスクロマトグラフ／ヘッドスペース分析を用いた。様々の量のグリセリンが系に導入された。試験試料により吸収された悪臭の量が定量された。グリセリンは、合成膣悪臭を吸収または除去する上で有効であった。約０．０５グラムのグリセリンは、合成膣悪臭の約９２％を除去した。同じ試験方法を用いて、図２に例証されているように、０．０１グラムという少量が合成膣悪臭の７０％を吸収したことが示された。図３は、試験結果の要約である。
【００５２】  上記のように、本発明の１つの態様は、悪臭打消し材料としてグリセリンとともに用いられるゼオライトも含む。好ましくは、ゼオライトは、サーマルタイプ３クリノプティロライト種またはチャバサイト種のいずれかとして分類される天然ゼオライトである。
【００５３】  本発明において有用な１つのゼオライトは、ＧＳＡリソーシズ社により販売される製品で、ＣＡＢＳＯＲＢ（登録商標）ＺＫ４０６Ｈ（登録商標）と称される。この材料は、主たる交換可能なカチオンとしてカリウムを有するオフホワイトのクリノプティロライトとして存在する。カリウムは、ゼオライトの４．３％台の量で存在する。本発明において有用なもう１つのゼオライトは、ＧＳＡリソーシズ社により販売される製品で、ＣＡＢＳＯＲＢ（登録商標）ＺＳ５００Ａ（登録商標）と称される。この材料は、主たる交換可能なカチオンとしてナトリウムを有する褐色鉱物、チャバサイトである。ナトリウムは、ゼオライトの６．７％台の量で存在する。
【００５４】  クリノプティロライト種もまた、その化学的性質およびほぼ５．８：１であるシリカ／アルミナ比に基づいて特徴決定され得る。以下は、サーマルタイプ３クリノプティロライトの形態の天然ゼオライトについての詳細な仕様である。
【００５５】  ＣＡＢＳＯＲＢ（登録商標）ＺＫ４０６Ｈ（登録商標）
アルミノケイ酸カリウム
天然クリノプティロライト。
【００５６】  典型的な特性
形態                顆粒
色                  灰色
気孔直径            ４．０オングストローム
気孔体積            １５％
比表面積            ４０ｍ2／ｇ
嵩（Ｂｕｌｋ）      ５３〜６６ｌｂｓ／ｆｔ3
７８３〜１０５４ｋｇ／ｍ3
固相密度            ８７ｌｂｓ／ｆｔ3
１３９０ｋｇ／ｍ3
アルカリ安定性      ７〜１０のｐＨ
酸安定性            ３〜７のｐＨ
熱安定性            １２０２°Ｆ
６５０℃
イオン交換能力      １．６５ミリ当量／ｇ。
【００５７】  典型的な化学分析
ＳｉＯ2     Ａｌ2Ｏ3    Ｆｅ2Ｏ3    ＣａＯ    ＭｇＯ    Ｎａ2Ｏ
０６９．１  １１．９      ０．７      ０．７    ０．４    ０．８
Ｋ2Ｏ    ＭｎＯ
３．８  ０．５。
【００５８】  主たる交換可能なカチオンとしてのカリウムを除いて、この特定のゼオライトは、以下の交換可能なカチオンを有する。
【００５９】  Ｒｂ+  Ｎａ+  Ｂａ2+  Ｍｇ2+  Ｌｉ+  Ａｇ+    Ｓｒ2+  Ｆｅ3+
Ｋ+  Ｃｄ2+  Ｃｕ2+  Ｃｏ3+  Ｃｓ+  Ｐｂ2+  Ｃａ2+  Ａｌ3+
ＮＨ4+  Ｚｎ2+  Ｈｇ2+Ｃｒ3+。
【００６０】  上記交換可能なカチオンの中で、カルシウム、マグネシウムおよびナトリウムの量および互いに対するそれらの比は重要であるように思える。上記のように、カルシウム（Ｃａ）の量は０．７であり、マグネシウム（Ｍｇ）の量は０．４であり、ナトリウム（Ｎａ）の量は０．８である。
【００６１】  チャバサイト種は、その化学的性質およびほぼ４：１であるシリカ／アルミナ比に基づいて特徴決定され得る。以下は、チャバサイト種についての詳細な仕様である。
【００６２】  典型的な特性
形態                  粉末または顆粒
色                    明るい茶色
（ドライ明度（Ｄｒｙ  Ｂｒｉｇｈｔｎｅｓｓ）４３）
環成員（Ｒｉｎｇ  Ｍｅｍｂｅｒ）
８
結晶サイズ−チャバサイト
１ミクロン未満
結晶性                ＋９０％
密度                  １．７３ｇ／ｃｍ3
気孔サイズ            縦４．１オングストローム、
横３．７オングストローム
有効気孔直径          ４．３オングストローム
キャビティサイズ      縦１１．０オングストローム
横６．６オングストローム
全気孔体積            ４６８ｃｍ3／ｇ
表面積                ５２０．９５ｍ2／ｇ
結晶空隙容量          ０．４７ｃｍ3／ｃｍ3
充填密度              ほぼ５７７ｋｇ／ｍ3（３６ｌｂｓ／ｆｔ3）
ＳｉＯ2／Ａｌ2Ｏ3比
ほぼ４：１
モース硬度            ４〜５
パッケージされた水分  １０重量％未満
安定性                ３から１２のｐＨ
イオン交換能力        ２．５０ミリ当量／ｇ。
【００６３】  典型的な化学分析
（２０℃および４０％相対湿度で平衡化されている）
ＳｉＯ2  Ａｌ2Ｏ3  Ｆｅ2Ｏ3
５４．６  １４．９    ２．２８
ＣａＯ    ＭｇＯ
０．２２  ０．６０
ＮａＯ    Ｋ2Ｏ    ＬＯＩ    主要カチオン
６．６７  ０．９０  １９．４      Ｎａ。
【００６４】  交換選択性
Ｔｌ+＞Ｏｓ+＞Ｋ+＞Ａｇ+＞Ｒｂ+＞ＮＨ4+＞Ｐｂ2+＞
Ｎａ+＝Ｂａ2+＞Ｓｒ2+＞Ｃａ2+＞Ｌｉ４。
【００６５】  重金属イオンの交換
それぞれの溶液について示された初期マイシャル（Ｍｉｔｉａｌ）ｐＨでのＡｇＮＯ3、Ｐｂ（ＮＯ3）2、ＣｏＳＯ4の１０ｍｇ／ｍｌ溶液およびＣｕＳＯ4の０．０２５ｍｇ／ｍｌ溶液からのイオン交換後の無水ＣＡＢＳＯＲＢ中に保持される重金属の重量パーセント。
【００６６】        Ａｇ                      Ｐｂ
ｐＨ        ｗｔ％        ｐＨ        ｗｔ％
５．３０    ２１．８５    ３．８０    ５．２７
Ｃｕ                      Ｇｏ
ｐＨ        ｗｔ％        ｐＨ        ｗｔ％
３．４３    ３．１７      ２．９１    ２．３２。
【００６７】  本発明の１つの態様において、図１に示されるように、繊維質吸収製品１０は、経血などのような体液を吸収することが可能な繊維質材料を含む。繊維質材料は、製織または不織構造を形成するように配置され得る。好ましくは、図１の繊維質吸収製品１０はタンポンに形成される。タンポンは、周知の円筒形最終形態を有する。しかしながらタンポンは、後に互いに円筒形タンポンに形成される内層１４および外層１６のような複数の繊維質層を有し得る。
【００６８】  １種類以上の悪臭打消し材料１８は、繊維質吸収製品１０上に配置されるかその中に含められる。この含めることは、タンポンを形成する層１４および１６の間の構造の中で達成され得る。悪臭打消し材料１８はまた、例えば、繊維の仕上げ剤（ｆｉｂｅｒ  ｆｉｎｉｓｈ）に含めること、繊維またはウエブに混ぜること、内表面および／または外表面上に均一にスプレーすること、またはそれらのいずれかの組み合わせを含む１以上の方法により吸収製品内に、または吸収製品上に取り入れることができる。
【００６９】  本発明の１つの好ましい態様において、悪臭打消し材料１８は、内層１４の長手側方向に沿って連続的に配置される。より好ましい態様において、１種類以上の悪臭打消し材料１８は、内層１４の中心領域に配置されるが、しかしながら、悪臭打消し材料は、図１において示されるように中心からわずかにずれたところに位置する。
【００７０】  内層１４に適用される悪臭打消し材料１８の量は、経血由来の臭気を、実質的に除去しないとしても、有意に減少させるのに十分であるべきである。例示されたタンポンの場合には、約０．０５グラムという少量のグリセリンが、超吸収性タンポンまたは（ストリングを除いて）２．６グラム繊維重量という重量を有するタンポンプレジットから臭気を有効に除去することが見出された。
【００７１】  繊維質吸収製品に用いられる悪臭打消し材料１８の量は、タンポンのサイズおよびおそらくコストへの配慮に依存して変化し得る。しかしながら、プレイテックスの現在のサイズのスリム、レギュラーおよびスーパータンポンを含む通常のタンポンにおいては、好ましくは、約０．０１グラムから約０．１５グラムの悪臭打消し材料が用いられるべきであると確信される。より好ましくは、約０．５グラムから約０．１グラムが通常のタンポンに用いられるべきである。約０．１５グラムのグリセリンを超える付加的な量は、タンポンにおける臭気吸収のために用いられ得るであろうが、この付加的な量は、タンポンプレジットの他のタンポン特性を妨害する傾向がある。他の繊維質吸収デバイスにおいては、悪臭打消し材料の量は、好ましくは、約０．０１グラムから繊維質吸収性デバイスの約半分の重量である。より好ましくは、悪臭打消し材料の量は、約０．１グラムから繊維質吸収性デバイスの約２０％の重量である。
【００７２】  上記のように、タンポンに１種類以上の悪臭打消し材料を含める方法は重要である。というのは、それはコスト上の利益を提供するからである。基本的には、１種類以上の液体の悪臭打消し材料、好ましくはグリセリン単独は、図１において示されるように、スプレッダー、または分配装置、またはガンにより内層１４の内表面上に連続線として分配される。代替として、グリセリンは、分配装置またはガンにより内層１４の内表面上に個別の液滴として分配され得るであろう。分配は、いずれか通常の分配装置、または、例えば、通常の糊分配ガンのようなガンによりなされる。この適用手法はまた、内層１４全体に均一で均質な適用も提供する。材料はまた、内層１４上に噴霧もしくはスプレーされうる。
【００７３】  このように、本発明は、その好ましい形態に対する特定の参照とともに記載されてきたが、特許請求の範囲に規定される本発明の精神および範囲から逸脱することなく本発明の様々な変更および修正がなされ得ることが明らかであろう。
【図面の簡単な説明】
【図１】  図１は、本発明の１種類以上の悪臭打消し材料を含むタンポン用の十字状パッド（ｃｒｏｓｓ−ｐａｄ）形状の平面図である。
【図２】  図２は、グリセリンの臭気吸収効力のチャートである。
【図３】  図３は、試験結果の概要を示す図表である。
【符号の説明】  １０…吸収製品
１８…悪臭打消し材料
【図１】
0005247964.tif 000002
【図２】
0005247964.tif 000003
【図３】
0005247964.tif 000004